(57)【要約】【課題】衛生設備室に要求される機能を満足しつつ、ＦＲＰ単一材料の一体構造では得られない素材選択性、リサイクル性などの利点が得られる防水機能を備えた床を提供する。【解決手段】防水機能を備えた床は、衛生設備室が設置される建物床上に据え付けられるフレーム状架台と、このフレーム状架台の上に固定される板状架台と、この板状架台の上に支持される防水パンと、を備えている。【選択図】図１
2008025122.tif 000002
【特許請求の範囲】
【請求項１】
衛生設備室が設置される建物床上に据え付けられるフレーム状架台と、
前記フレーム状架台の上に固定される板状架台と、
前記板状架台の上に支持される防水パンと、
を備えたことを特徴とする防水機能を備えた床。
【請求項２】
前記防水パンは、熱可塑性樹脂からなることを特徴とする請求項１記載の防水機能を備えた床。
【請求項３】
前記熱可塑性樹脂は、再生樹脂であることを特徴とする請求項２記載の防水機能を備えた床。
【請求項４】
前記防水パンは、繊維状補強材を含まない樹脂材料からなることを特徴とする請求項１〜３のいずれか１つに記載の防水機能を備えた床。
【請求項５】
前記防水パンの表面に敷設された表面意匠シートをさらに備えたことを特徴とする請求項１〜４のいずれか１つに記載の防水機能を備えた床。
【請求項６】
前記衛生設備室の骨組みを構成する柱部材の取付金具が、前記板状架台または前記フレーム状架台に固定されたことを特徴とする請求項１〜５のいずれか１つに記載の防水機能を備えた床。
【請求項７】
前記フレーム状架台は、鋼材からなることを特徴とする請求項１〜６のいずれか１つに記載の防水機能を備えた床。
【請求項８】
前記板状架台は、２枚の金属板の間に芯材を挟んでなることを特徴とする請求項１〜７のいずれか１つに記載の防水機能を備えた床。
【請求項９】
前記芯材は、断熱材であることを特徴とする請求項８記載の防水機能を備えた床。
【請求項１０】
前記板状架台は、デッキプレートであることを特徴とする請求項１〜７のいずれか１つに記載の防水機能を備えた床。
【請求項１１】
前記防水パン及び前記板状架台のそれぞれに点検口が設けられたことを特徴とする請求項１〜１０のいずれか１つに記載の防水機能を備えた床。
【発明の詳細な説明】
【技術分野】
【０００１】
本発明は、例えば、浴室、シャワー室、トイレなどの衛生設備室に使用される防水機能を備えた床に関する。
【背景技術】
【０００２】
例えば浴槽と洗い場とを１つのユニットとして構成したユニットバスなどの浴室の床は、一般に、ＦＲＰ（Fiber Reinforced Plastic）が用いられている。これは、ＦＲＰが、浴室の床に求められる強度、防水性、成形性、意匠性、コストなど、様々な要件をバランスよく満たしているためであり、ユニットバス誕生から現在までの長い間、中心的な素材となっている。特に、近年では、生産性向上とコスト低減を図るため、シート状に予め加工したＦＲＰ（ＳＭＣ：Sheet Molding Compound）を用い、それをホットプレスすることで成型した「ＦＲＰモノコック構造」が採用されている。
【０００３】
このように、物性的には浴室など水周りに最適な素材であるＦＲＰではあるが、熱硬化性の樹脂が用いられるため、再度溶解して成型し直すなどの単純なマテリアルリサイクルは不可能で、また材料の生産工程上、スチレンなどの揮発性有機化合物の含有が不可避であるため、近年の循環型社会形成や環境配慮の気運の高まりの中、その使用に対しての風当たりが強くなってきている。
【０００４】
このような背景から、比較的リサイクルしやすくコストも安価なポリプロピレン、ポリエチレンなどの汎用熱可塑性樹脂をＦＲＰの代替材として浴室の床に採用することも提案されている。
【０００５】
ポリプロピレン、ポリエチレンなどの熱可塑性の汎用樹脂は、コストや環境面ではＦＲＰよりも有利であるが、材料強度がＦＲＰよりかなり低く、また、長期間にわたる荷重でクリープ変形なども発生する。そのため、素材そのものの材料強度を向上させるために、樹脂中にガラス繊維等を混ぜて熱可塑性樹脂をベースにしたＦＲＰとする改善案も考えられるが、ガラス繊維を加えることにより材料単価が高くなってしまい、汎用樹脂を使用したにもかかわらず価格競争力が低下してしまう。また、ガラス繊維等を混入した複合材料はリサイクル性も大きく低下する。
【０００６】
特許文献１には、基材が熱可塑性樹脂からなる床板裏面にリブ状補強体を設けた防水パンが開示され、特許文献２には、熱可塑性樹脂からなる基材の裏面に、発泡樹脂、金属材、木質材のいずれかで構成される別部材の補強材を付着形成した防水パンが開示されているが、それら補強を施しただけでは、実際にその防水パンを浴室の床として使用するには強度が不十分であり、また、特許文献２のように異部材を熱可塑性樹脂に組み込むとリサイクルが困難になる。
【特許文献１】特開平１１−２１００３９号公報
【特許文献２】特開２００１−２４８１９８号公報
【発明の開示】
【発明が解決しようとする課題】
【０００７】
本発明は、衛生設備室に要求される機能を満足しつつ、ＦＲＰ単一材料の一体構造では得られない素材選択性、リサイクル性などの利点が得られる防水機能を備えた床を提供する。
【課題を解決するための手段】
【０００８】
本発明の一態様によれば、衛生設備室が設置される建物床上に据え付けられるフレーム状架台と、前記フレーム状架台の上に固定される板状架台と、前記板状架台の上に支持される防水パンと、を備えたことを特徴とする防水機能を備えた床が提供される。
【発明の効果】
【０００９】
本発明によれば、衛生設備室に要求される機能を満足しつつ、ＦＲＰ単一材料の一体構造では得られない素材選択性、リサイクル性などの利点が得られる防水機能を備えた床が提供される。
【発明を実施するための最良の形態】
【００１０】
以下、図面を参照し、本発明の実施形態について説明する。
【００１１】
［第１の実施形態］
図１は、本発明の第１の実施形態に係る防水機能を備えた床の分解斜視図である。  
図２は、同第１の実施形態に係る床の要部断面構造を表す模式図である。
【００１２】
本実施形態では、例えば、浴室における洗い場の床を例に挙げて説明する。本実施形態に係る床は、フレーム状架台１１と、板状架台１２と、防水パン１３と、表面意匠シート１４と、を備える。
【００１３】
フレーム状架台１１は、支持脚２１を介して、浴室が設置される建物床上に据え付けられる。フレーム状架台１１は、浴室構造体の最下部で、板状架台１２、防水パン１３、壁パネル１６、天井パネル（図示せず）等の重みや、床上の人が動くことによる動荷重を受けとめる土台として機能する。したがって、フレーム状架台１１は、十分な強度を有し、例えば、鋼材からなる角材を縦横に組み合わせて構成される。また、支持脚２１の下端部は、支持脚２１の根元部に対してねじ込まれたボルト状構造になっており、設置高さの調整が可能となっている。
【００１４】
フレーム状架台１１の上には、例えば、ネジ止めなどにより、板状架台１２が固定される。板状架台１２は、洗い場床面とほぼ同じ平面寸法を有する板状を呈し、フレーム状架台１１と共に床の機械的強度を高める役割を担うと共に、床面のたわみや曲げに対する面強度（剛性）を高める役割を担う。
【００１５】
板状架台１２は、例えば、石膏ボード、木質系ボード、硬質ポリウレタンフォームなどの芯材を薄い２枚の鋼板で挟んだサンドイッチ鋼板等からなる。これら材料は、樹脂に比べて、温度変化による寸法変化が小さく、形状安定性に優れ、組み立てに必要な精度を得ることができる。そのため、浴室の骨組みとなる柱部材１５（図１において２点鎖線で表す）を取り付けるための取付金具２２など、浴室内寸法を決定する部材は、板状架台１２に固定される。例えば、本実施形態では、取付金具２２を、板状架台１２の四隅に固定させている。なお、取付金具２２等の浴室内寸法決定部材を、同様に寸法安定性に優れ、鋼材等からなるフレーム状架台１１に固定させてもよい。
【００１６】
また、特にサンドイッチ鋼板構造を採用した板状架台１２において、硬質ポリウレタンフォームやロックウールボードなどの断熱性に優れた芯材を用いれば、床面を冷めにくくでき、使用者に不快感（冷たい感じ）を与えにくくできる。
【００１７】
板状架台１２の上には、防水パン１３が載置支持される。防水パン１３は、例えば、ネジ、接着剤、両面テープ、樹脂の弾性変形を利用した係合方式などにより、板状架台１２上に固定される。あるいは、防水パン１３を板状架台１２に固定させずに、板状架台１２の上に載置させただけでもよい。この場合でも、板状架台１２の四隅に固定された前述の取付金具２２によって、防水パン１３の面方向の位置ズレを規制することができる。
【００１８】
防水パン１３は、浴室外部に湯水を漏出させない防水性を有する。防水パン１３は、浅底の器状を呈し、その底面部には排水用開口２８が形成されている。また、防水パン１３の底面の表面部には、縁部から排水用開口２８に向けて下向き傾斜した排水勾配が付けられている。
【００１９】
人や、床上設置物の重量を支える構造物の底としての機械的強度、および床の面強度（たわみや曲げに対する剛性）は、フレーム状架台１１と板状架台１２とによって十分に確保されるので、防水パン１３は、防水機能のみ有すればよい。このため、例えば、ＦＲＰに比べて強度の弱い汎用樹脂の薄物成型品を防水パン１３として用いることができ、また、補強リブを設けたり、ガラス繊維等の補強材を含有させるなどの強度を高めるための各種工夫を施さなくてよい。したがって、防水パン１３に要するコストを、ＦＲＰを使った場合に比べて安価にできる。
【００２０】
防水パン１３としては、例えば、ポリプロピレン、ポリエチレン、ＡＢＳ、ポリ塩化ビニール等の汎用熱可塑性樹脂の成型品を用いることができる。この成型品は、石油を主原料として新たに生成されたものであってもよいし、廃プラスチック等から再生された再生樹脂であってもよい。再生樹脂を用いた場合は、素材コストのさらなる低減が図れると共に、資源の有効利用にもなる。
【００２１】
防水パン１３の底面部中央には、点検口が開口されている（図１では、その点検口を塞ぐ蓋２７を図示）。また、板状架台１２の中央にも点検口２３が開口され、この点検口２３及び防水パン１３に形成された点検口を一致させて防水パン１３は板状架台１２上に載置され、それら点検口を介して、フレーム状架台１１の裏側に設けられた支持脚２１の高さ調整やメンテナンスなどを行える。ＦＲＰのモノコック構造からなりその表面が意匠面となる従来の構造では、点検口を形成すると意匠性を損なってしまうが、本実施形態では、後述するように、表面意匠シート１４を防水パン１３上に敷設することで、蓋２７と点検口との境い目を隠すことができる。
【００２２】
また、板状架台１２及び防水パン１３のそれぞれには、図示しない排水トラップに通じる排水用開口２４、２８が形成されている。これら排水用開口２４、２８から排水トラップに導かれた排水は、図示しない排水管を介して浴室外に排水される。
【００２３】
防水パン１３の表面自体を、洗い場床の意匠面としてもよいが、例えば安価な再生樹脂を用いた場合には意匠性に優れないことがあり、また点検口の蓋２７を隠したい場合などには、別途、防水パン１３の表面に表面意匠シート１４を敷設してもよい。表面意匠シート１４にも、排水トラップに通じる排水用開口２９が形成される。
【００２４】
図２において２点鎖線で表すように、洗い場の壁を構成する壁パネル１６が、防水パン１３の縁部に立設される。壁パネル１６の側端部は、図１に表す前述した柱部材１５によって支えられる。表面意匠シート１４と、防水パン１３との境い目は、壁パネル１６によって隠され、その境い目が表面に露見することによる見栄えの悪化を防げる。
【００２５】
以上説明したように、本実施形態では、浴室洗い場床に要求される強度、防水性、意匠性などの機能を、ＦＲＰ単一材料によるモノコック構造（一体構造）で充足させるのではなく、それら各機能を担う別々の部材を組み合わせることで、全体として強度、防水性、意匠性を充足する構造体としている。各部材は、単一機能だけを充足すればよく、素材選択肢が広がり安価な汎用品を用いることができ、これら安価な汎用品を組み合わせることで、高機能なＦＲＰのモノコック構造に比べて、全体のコストも安価にできる。
【００２６】
強度は、フレーム状架台１１及び板状架台１２が担い、防水性は、防水パン１３が担い、意匠性は、表面意匠シート１４が担う。フレーム状架台１１及び板状架台１２には、防水性や意匠性は要求されず、単に強度だけを考慮して材料や構造を決定すればよく、例えば鋼材を用いた安価な汎用構造を採用できる。防水パン１３には、強度や意匠性が要求されず、単に防水性だけを考慮して汎用樹脂の薄肉成型品を用いることができる。また、その樹脂として熱可塑性樹脂を用いた場合には、熱可塑性樹脂は、不要になったら再度溶かして作り直しが可能であるため、リサイクルしやすい利点がある。
【００２７】
また、単一材料による一体構造でないため、今までにない付加価値をつけやすい。表面意匠シート１４は、ポリプロピレンやポリエチレン等の汎用樹脂や、水に強く、意匠性に優れ、浴室床の表面部の機能を満たす仕上げ素材等が用いられる。例えば、表面意匠シート１４を軟質仕上げとしたり、断熱機能を付加するなどによって、ＦＲＰ単一材料による一体構造では実現できない、やわらかくて暖かい質感の床という付加価値を加えることも可能となる。
【００２８】
また、単一材料による一体構造に比べて、素材選択性や設計の自由度が高いため、例えば、低価格な要求や、建物構造上あるいは使用条件等から高い強度が要求されるなど、様々な要求に対して柔軟且つ最適な組み合わせを実現可能となる。
【００２９】
比較例として、例えば鋼材等を補強材として樹脂製の防水パン１３に一体に組み込んだり、一体的にインサート成型するなどにより防水パン１３単独で強度と防水性を併せ持つ構造とすることも考えられるが、この場合、防水パンが異素材の複合体となり、樹脂中に一体に組み込んだ異素材を分離しないとリサイクルできないため、リサイクル性を損なう。これに対して、本実施形態では、各部材は、例えば、ネジ止めや接着等、相互に分離可能に固定され、廃棄時の分解分別も容易でリサイクル性に優れる。
【００３０】
また、ＦＲＰ単一材料によるモノコック構造では、成型方法が限られ、多大な初期投資が必要なホットプレス製法しか量産方法が選択できなかった。これに対して、防水パン１３に用いられる熱可塑性樹脂は、型投資額が比較的小さい射出、真空、スタンピング、ブローなどの低圧成型法を採用でき、このような初期投資額の小さい成型方法を、特に需要（出荷数）のそれほど多くないタイプの製品に対して適用すれば、売上高に対する投資額の増大を抑えられる。防水パン１３以外のフレーム状架台１１、板状架台１２等は、生産型が基本的に必要ない非モールドで構成可能である。
【００３１】
［第２の実施形態］
図４は、本発明の第２の実施形態に係る床の分解斜視図である。  
図５は、同第２の実施形態に係る床の要部断面構造を表す模式図である。
【００３２】
本実施形態に係る床は、フレーム状架台５１と、板状架台５２と、防水パン５３と、表面意匠シート６０と、を備える。
【００３３】
フレーム状架台５１は、支持脚６３（図５に図示）を介して、浴室が設置される建物床上に据え付けられる。フレーム状架台５１は、浴室構造体の最下部で、板状架台５２、防水パン５３、壁パネル１６、天井パネル（図示せず）等の重みや、床上の人が動くことによる動荷重を受けとめる土台として機能する。フレーム状架台５１は、例えば、弓形の２本の鋼材５１ａと、まっすぐな棒状の２本の鋼材５１ｂとを縦横に組み合わせて構成される。
【００３４】
本実施形態では、浴室の骨組みとなる柱部材を取り付けるための取付金具５４は、フレーム状架台５１の四隅に位置する弓形鋼材５１ａの端部に固定させている。
【００３５】
フレーム状架台５１の上には、例えば、ネジ止めなどにより、板状架台５２が固定される。板状架台５２は、凹部と凸部とが長手方向に交互に繰り返された波形に成形されたデッキプレートであり、フレーム状架台５１と共に床の機械的強度を高める役割を担うと共に、床面のたわみや曲げに対する面強度（剛性）を高める役割を担う。
【００３６】
板状架台５２として単一鋼板を使用した場合にはデッキプレート状に加工することで平板の場合に比べて剛性を高めることができる。したがって、平板の場合よりも薄肉にでき材料費を低減できる。板状架台５２は、１枚の板に限らず、複数のデッキプレートを継ぎ合わせて構成してもよい。例えば、図４に表す具体例では、３枚のデッキプレートが１点鎖線ａで継ぎ合わされて板状架台５２を構成している。継ぎ合わせるデッキプレートの数を変えることで、床の長手方向寸法に柔軟に対応できる。
【００３７】
なお、必要に応じて、断面Ｌ字状の金属製補強部材６２を、板状架台５２の縁部に添えて設けて、より強度を高めるようにしてもよい。
【００３８】
板状架台５２の上には、防水パン５３が載置支持される。防水パン５３は、浴室外部に湯水を漏出させない防水性を有する。防水パン５３は、浅底の器状を呈し、その底面部には排水用開口６１と、点検口（図４では、その点検口を塞ぐ蓋５９を図示）が形成されている。板状架台５２にも点検口５５が開口され、この点検口５５及び防水パン５３に形成された点検口を一致させて防水パン５３は板状架台５２上に載置され、それら点検口を介して、フレーム状架台５１の裏側に設けられた支持脚６３（図５に図示）の高さ調整やメンテナンスなどを行える。
【００３９】
板状架台５２及び防水パン５３のそれぞれには、図示しない排水トラップに通じる排水用開口５６、６１が形成されている。これら排水用開口５６、６１から排水トラップに導かれた排水は、図示しない排水管を介して浴室外に排水される。
【００４０】
人や、床上設置物の重量を支える構造物の底としての機械的強度、および床の面強度（たわみや曲げに対する剛性）は、フレーム状架台５１と板状架台５２とによって十分に確保されるので、防水パン５３は、防水機能のみ有すればよい。このため、例えば、ＦＲＰに比べて強度の弱い汎用樹脂の薄物成型品を防水パン５３として用いることができ、また、補強リブを設けたり、ガラス繊維等の補強材を含有させるなどの強度を高めるための各種工夫を施さなくてよい。したがって、防水パン５３に要するコストを、ＦＲＰを使った場合に比べて安価にできる。
【００４１】
防水パン５３としては、例えば、ポリプロピレン、ポリエチレン、ＡＢＳ、ポリ塩化ビニール等の汎用熱可塑性樹脂の成型品を用いることができる。この成型品は、石油を主原料として新たに生成されたものであってもよいし、廃プラスチック等から再生された再生樹脂であってもよい。再生樹脂を用いた場合は、素材コストのさらなる低減が図れると共に、資源の有効利用にもなる。
【００４２】
防水パン５３の表面自体を、洗い場床の意匠面としてもよいが、別途、防水パン５３の表面に表面意匠シート６０を敷設してもよい。図５において２点鎖線で表すように、洗い場の壁を構成する壁パネル１６が、防水パン５３の縁部に立設される。表面意匠シート６０と、防水パン５３との境い目は、壁パネル１６によって隠され、その境い目が表面に露見することによる見栄えの悪化を防げる。
【００４３】
本実施形態においても、浴室洗い場床に要求される強度、防水性、意匠性などの機能を、ＦＲＰ単一材料によるモノコック構造（一体構造）で充足させるのではなく、それら各機能を担う別々の部材を組み合わせることで、全体として強度、防水性、意匠性を充足する構造体としている。各部材は、単一機能だけを充足すればよく、素材選択肢が広がり安価な汎用品を用いることができ、これら安価な汎用品を組み合わせることで、高機能なＦＲＰのモノコック構造に比べて、全体のコストも安価にできる。また、各部材は、例えば、ネジ止めや接着等、相互に分離可能に固定され、廃棄時の分解分別も容易でリサイクル性に優れる。
【００４４】
［第３の実施形態］
図６は、本発明の第３の実施形態に係る床の分解斜視図である。なお、前述した第１の実施形態と同じ構成部分には同一の符号を付し、その詳細な説明は省略する。
【００４５】
本実施形態では、洗い場側及びこれに隣接する浴槽側に共通の土台として、フレーム状架台７１を設けている。フレーム状架台７１は、四角い枠状フレーム７３と、２本の棒状フレーム７２とを組み合わせて構成される。枠状フレーム７３及び棒状フレーム７２は、例えば鋼材からなる。
【００４６】
棒状フレーム７２は、その長手方向の略中間部で屈曲され、段差が付けられている。２本の棒状フレーム７２の上段側部分７２ａは、それぞれ、枠状フレーム７３の相対向する辺部に、例えばネジ止めなどにより固定される。
【００４７】
枠状フレーム７３、およびこれに固定された棒状フレーム７２の上段側部分７２ａの上には、前述した板状架台１２が載置固定される。板状架台１２の上には、第１の実施形態と同様、防水パン１３が載置支持され、また必要に応じて、表面意匠シート１４が防水パン１３表面上に敷設される。
【００４８】
棒状フレーム７２の下段側部分７２ｂの上には、浴槽側板状架台１０２が載置固定され、浴槽側板状架台１０２の上には、薄型箱状の浴槽側防水パン１０１が載置固定され、浴槽側防水パン１０１の底面部上には、浴槽１００が載置固定される。
【００４９】
浴槽側板状架台１０２は、洗い場側の板状架台１２と同様、例えば、石膏ボード、木質系ボード、硬質ポリウレタンフォームなどの芯材を薄い２枚の鋼板で挟んだサンドイッチ鋼板等からなり、その上にかかる荷重に対する十分な剛性を有する。
【００５０】
人や、床上設置物の重量を支える構造物の底としての機械的強度、および床の面強度は、フレーム状架台７１、板状架台１２、１０２によって確保される。したがって、浴槽側防水パン１０１についても、洗い場側の防水パン１３と同様に、防水機能のみ有すればよく、ＦＲＰのような高い強度を必要としない。よって、浴槽側防水パン１０１として、例えば、安価でリサイクル性に優れる熱可塑性樹脂を用いることができる。
【００５１】
また、洗い場側と浴槽側の土台としてそれぞれ分離されたものを用いず、洗い場側と浴槽側とで同じ（共通の）フレーム状架台７１を用いることで、洗い場側構造物と浴室側構造物との相対的な位置決めを容易に行えると共に、それら両者の相対的位置関係が安定して維持される。なお、フレーム状架台７１にも、必要に応じて適宜高さ調整可能な支持脚が設けられる。
【００５２】
以上、具体例を参照しつつ本発明の実施形態について説明した。しかし、本発明は、それらに限定されるものではなく、本発明の技術的思想に基づいて種々の変形が可能である。
【００５３】
防水パンは、器状に限らない。面強度は防水パンの下の板状架台が担うので、図３に表す防水パン３３のようにシート状であってもよい。シート状にすれば、例えばロール状に巻くことができ、保管、運搬、様々なサイズへの柔軟な対応が容易になるなどの点で利便性が増す。防水パンをシート状にした場合、その防水パン３３の縁部からの湯水の漏出を防ぐために、例えば断面Ｌ字状の液密部材３６を設けることが望ましい。
【００５４】
また、防水パンの材料としては、熱可塑性樹脂に限らず、熱硬化性樹脂、紫外線硬化性樹脂、その他の樹脂を用いてもよい。あるいは、樹脂材料に限らず、防水性を有する材料であればよい。また、防水パンとしてＦＲＰを用いてもよい。この場合でも、防水パンには防水性のみが要求され、強度は要求されないので、肉厚を薄くして、あるいはシート状にして材料コストを低減できる。
【図面の簡単な説明】
【００５５】
【図１】本発明の第１の実施形態に係る防水機能を備えた床の分解斜視図である。
【図２】同第１の実施形態に係る防水機能を備えた床の要部断面構造を表す模式図である。
【図３】第１の実施形態に係る防水機能を備えた床においてシート状の防水パンを用いた変形例を表す模式図である。
【図４】本発明の第２の実施形態に係る防水機能を備えた床の分解斜視図である。
【図５】同第２の実施形態に係る防水機能を備えた床の要部断面構造を表す模式図である。
【図６】本発明の第３の実施形態に係る防水機能を備えた床の分解斜視図である。
【符号の説明】
【００５６】
１１…フレーム状架台、１２…板状架台、１３…防水パン、１４…表面意匠シート、１５…柱部材、１６…壁パネル、２１…支持脚、２２，５４…取付金具、３３…防水パン、５１…フレーム状架台、５２…板状架台、５３…防水パン、６０…表面意匠シート、７１…フレーム状架台、１００…浴槽、１０１…浴槽側防水パン、１０２…浴槽側板状架台
【図１】
2008025122.tif 000003
【図２】
2008025122.tif 000004
【図３】
2008025122.tif 000005
【図４】
2008025122.tif 000006
【図５】
2008025122.tif 000007
【図６】
2008025122.tif 000008